(57)【要約】【課題】  貝表面の全体を清浄することが困難であった。【解決手段】  側面Ｖ字状の貝移動通路の側面に開口部を形成し、貝移動通路の上部に貝移動通路内に突出するように設けた貝移送体の回転により貝移動通路内の貝を貝移動通路の入口側から出口側に移送し、その移送中に、貝移動通路の外側方に設けた汚れ除去具が貝移動通路の開口部から貝移動通路内に突出して回転して貝の表面の汚れを除去する貝表面清浄機において、汚れ除去具は貝移動通路の両外側に貝移動通路に沿って配置した回転軸に爪取付盤が間隔をあけて取り付け、爪取付盤は円盤状の本体の外周面又は放射状の羽根の外側に爪を取付けて、回転軸回転により爪取付盤が回転して爪により貝表面の汚れを掻き落として除去することを特徴とする貝表面清浄機。【選択図】図１
2010099087.tif 000002
【特許請求の範囲】
【請求項１】
上方開口で下方細りである側面略Ｖ字状の貝移動通路の側面に貝の移動方向に間隔をあけて開口部が形成され、貝移動通路の上部に貝移動通路内に突出するように設けられた貝移送体の回転により貝移動通路内の貝を貝移動通路の入口側から出口側に移送し、その移送中に、貝移動通路の外側方に設けられた汚れ除去具が貝移動通路の開口部から貝移動通路内に突出して回転して貝の表面の汚れを除去する貝表面清浄機において、
前記汚れ除去具は、貝移動通路の両外側に貝移動通路に沿って配置された２本の回転軸と、この回転軸に間隔をあけて取り付けられた多数の爪取付盤からなり、
前記爪取付盤は円盤状の本体の外周面又は放射状の羽根の外側に爪が取付けられた構成であり、
前記２本の回転軸が、貝移動通路の入口側から出口側に向けて上り傾斜又は下り傾斜の同傾斜に配置され、且つ爪取付盤の爪を前記貝移動通路の開口部から貝移動通路内に突出させて配置して、
前記貝移動通路内を移送中の貝表面への前記爪の接触位置が、貝の移送に伴って貝表面の下部から上部に又は上部から下部に自動的に変化して、貝表面の汚れが掻き落とされて除去されるようにしたことを特徴とする貝表面清浄機。
【請求項２】
請求項１記載の貝表面清浄機において、貝移動通路の両外側に配置された２本の回転軸間の間隔が、貝移動通路の入口側を広く、出口側を狭くして配置されたことを特徴とする貝表面清浄機。
【請求項３】
請求項１又は請求項２記載の貝表面清浄機において、爪取付盤が弾性を有するものであることを特徴とする貝表面清浄機。
【請求項４】
請求項１乃至請求項３のいずれかに記載の貝表面清浄機において、貝移動通路の両外側に配置された２本の回転軸は、一方の回転軸の回転力を機械的手段により他方の回転軸に伝達することによって、双方の回転軸を一つの駆動体によって回転させるものであることを特徴とする貝表面清浄機。
【発明の詳細な説明】
【技術分野】
【０００１】
本発明は帆立貝等の貝類の殻表面に付着している付着物を除去する貝表面清浄機に関するものである。
【背景技術】
【０００２】
従来、帆立貝等の貝類の殻の表面に付着している付着物を清浄する貝表面清浄機としては、特許文献１に示すように、側面Ｖ字状の貝移動通路内の貝を、回転移送体により移送し、移送中に、掃除具の爪を貝表面に接触させて、爪で貝表面に付着している付着物を掻き落すようにしたものがある。前記貝移動通路は棒材を間隔をあけて左右２列に配置し、左右列の棒材を配列方向に互い違いにずらして形成されており、各列の棒材間を開口部としてある。前記貝移送体は貝移動通路の上方に配置した回転ベルトに爪を取付けてあり、爪が貝移動通路の上方開口部から貝移動通路内に突出し、その回転により貝移動通路内の貝を回転させながら移動させるようにしてある。前記掃除具は、図１０に示すように、回転帯Ｃに爪Ｆが取り付けられており、その爪Ｆが前記開口部から貝移動通路の内側に突出して、貝表面の付着物を掻き落すようにしてある。
【先行技術文献】
【特許文献】
【０００３】
【特許文献１】実公昭５２−４３６７６号公報。
【発明の概要】
【発明が解決しようとする課題】
【０００４】
従来の貝表面清浄機には次のような課題があった。
（１）図１０に示す無端ベルトＥに爪Ｆを取付けた掃除具Ａでは、爪Ｆが帆立貝の貝殻の形状、即ち、中央部が外側に膨らみ、外周部が薄くなっている形状に追随しきれず、貝殻の全般を万遍無く清浄する（付着物を掻き落とす）ことは困難であり、付着物が残ることが多々あった。
（２）回転軸が貝移動通路の入口側から出口側まで水平であるため、開口部からＶ字状貝移動通路に突出する爪の位置（高さ）がどの開口部においても同じであるため、貝表面への爪の接触位置が常に一定であり、貝表面の同じ箇所しか清浄されず、貝表面の全体を清浄することが困難であった。
（３）無端ベルトＥは切れ易く、無端ベルトＥが切れると交換に手間を要し、作業性に難点があった。
（４）従来の貝表面清浄機は、図１０に示すように、掃除具Ａ一つにつき軸Ｂが二本必要であって、更に回転帯Ｃ一列につき、二つのプーリーＤが必要であり、各プーリーＤにベルトＥを掛けて爪Ｆを備える必要がある。前記のような回転帯Ｃが、掃除具Ａ一つにつき複数列備えられている。従来の貝表面清浄機には掃除具Ａが左右で２本備えられるため、軸Ｂは４本必要であり、例えば掃除具Ａの回転帯Ｃが１０列である場合には、プーリーＤは左右で４０個、ベルトＥは左右で２０本必要となるため、部品が大量に必要であり、また、貝表面清浄機全体も重くなる。また、前記のような多くの部品の内１つでも故障した場合には部品の交換が必要であり、部品の交換の手間がかかる上に、その間貝表面清浄機を停止させなければならず、作業効率が悪い。また、交換用部品も多くなるため、コスト高となる。
【課題を解決するための手段】
【０００５】
本発明の目的は、爪が貝表面全般に万遍なく接触して、貝表面全般を清浄できる貝表面清浄機を提供するところにある。
【０００６】
本件出願の貝表面清浄機は、上方開口で下方細りである側面略Ｖ字状の貝移動通路の側面に貝の移動方向に間隔をあけて開口部が形成され、貝移動通路の上部に貝移動通路内に突出するように設けられた貝移送体の回転により貝移動通路内の貝を貝移動通路の入口側から出口側に移送し、その移送中に、貝移動通路の外側方に設けられた汚れ除去具が貝移動通路の開口部から貝移動通路内に突出して回転して貝の表面の汚れを除去する貝表面清浄機において、前記汚れ除去具は、貝移動通路の両外側に貝移動通路に沿って配置された２本の回転軸と、この回転軸に間隔をあけて取り付けられた多数の爪取付盤からなり、前記爪取付盤は、円盤状の本体の外周面又は放射状の羽根の外側に爪が取付けられて構成され、爪取付盤の爪は前記貝移動通路の開口部から貝移動通路内に突出させて配置され、回転軸の回転により爪取付盤が回転して爪により貝表面の汚れを掻き落として除去するものである。
【０００７】
本件出願の第１の貝表面清浄機は、前記貝表面清浄機において、貝移動通路の両外側に貝移動通路に沿って配置された２本の回転軸が、貝移動通路の入口側から出口側に向けて上り傾斜又は下り傾斜の同傾斜に配置され、前記貝移動通路内を移送中の貝表面への前記爪の接触位置が、貝の移送に伴って貝表面の下部から上部に又は上部から下部に自動的に変化して、貝表面の汚れが掻き落とされて除去するようにしたものである。
【０００８】
本件出願の貝表面清浄機は、前記貝表面清浄機において、貝移動通路の両外側に貝移動通路に沿って配置された２本の回転軸のうち、一方の回転軸は貝移動通路の入口側から出口側に向けて下り傾斜に配置されて、他方の回転軸は入口側から出口側に向けて上り傾斜に配置されて、前記貝移動通路内を移送中の貝表面への前記爪の接触位置が、貝の移送に伴って貝表面の下部から上部に又は上部から下部に自動的に変化して、貝表面の汚れが掻き落とされて除去するようにしたものである。
【０００９】
本件出願の第２の貝表面清浄機は、前記貝表面清浄機において、貝移動通路の両外側に配置された２本の回転軸間の間隔が、貝移動通路の入口側を広く、出口側を狭くして配置されて、貝移動通路内を移送される貝表面に接触するようにしたものである。
【００１０】
本件出願の第３の貝表面清浄機は、前記貝表面清浄機において、爪取付盤を弾性のあるものとしてある。
【００１１】
本件出願の第４の貝表面清浄機は、貝移動通路の両外側に配置された２本の回転軸が、一方の回転軸の回転力を機械的手段により他方の回転軸に伝達することによって、双方の回転軸を一つの駆動体によって回転させるものである。
【発明の効果】
【００１２】
本件出願の貝表面清浄機には次のような効果がある。
（１）汚れ除去具は貝移動通路の両外側に貝移動通路に沿って配置された回転軸に爪取付盤が間隔をあけて取り付けられ、爪取付盤は円盤状の本体の外周面又は放射状の羽根の外側に爪が取付けられて、回転軸の回転により爪取付盤が回転して爪により貝表面の汚れを掻き落として除去するものであるので、部品が少なく組み立てるのが容易で便利である。また、強度が強いため切れることがなく、部品の取り替え等の労力及び費用を減らすことができる。
【００１３】
本件出願の第１の貝表面清浄機には、上記効果の他、次のような効果がある。
（１）貝移動通路の両外側に貝移動通路に沿って配置された回転軸が、貝移動通路の入口側から出口側に向けて上り傾斜又は下り傾斜に配置され、その回転軸に取り付けられた爪取付盤の爪が、貝移動通路内を移送される貝表面の下部から上部まで接触するようにしたので、貝の表面に、上から下へ、又は下から上へと万遍無く爪を当てることができ、より確実に貝表面を清浄化出来る。
【００１４】
本件出願の貝表面清浄機には、上記効果の他、次のような効果がある。
（１）貝移動通路の両外側に貝移動通路に沿って配置された回転軸のうち、一方の回転軸は貝移動通路の入口側から出口側に向けて下り傾斜に配置されて、その回転軸に取り付けられた爪取付盤の爪が、貝移動通路内を移送される貝表面の上部から下部へ接触し、他方の回転軸は入口側から出口側に向けて上り傾斜に配置されて、その回転軸に取り付けられた爪取付盤の爪が、貝移動通路内を移送される貝表面の下部から上部へ接触するようにしたので、貝の表面に、上から下へ、又は下から上へと万遍無く爪を当てることができ、また、貝の右側と左側とで、掃除具が貝の異なる部分に接触するので、貝の挟着力が増し、貝を安定した状態にして貝表面をバランスよくより確実に清浄することができる。
【００１５】
本件出願の第２の貝表面清浄機には、上記効果の他、次のような効果がある。
（１）貝移動通路の両外側に配置された回転軸間の間隔が、貝移動通路の入口側を広く、出口側を狭くして配置されて、貝移動通路内を移送される貝表面に接触するようにしたので、入口側付近の掃除具同士の間隔が広い部分では貝に付着した大きなごみ等の汚れを重点的に除去し、出口側付近の掃除具同士の間隔が狭い部分では貝表面の汚れを重点的に除去することができる。
【００１６】
本件出願の第３の貝表面清浄機には、上記効果の他、次のような効果がある。
（１）爪取付盤が弾性を有するので、貝の表面の形状に追随して貝殻表面の付着物を掻き落とすことができ、貝の表面を清浄化できる。
【００１７】
本件出願の第４の貝表面清浄機には、上記効果の他、次のような効果がある。
（１）貝移動通路の両外側に配置された回転軸が、一方の回転軸の回転力を、機械的手段を用いて他方の回転軸に伝達することによって、両回転軸とも一つの駆動体によって回転するものであるので、駆動体が一つでよく、装置全体の軽量化を実現できる。
（２）ギア等を用いた場合には、ベルト等のように切れるおそれがなく、部品交換の手間を減らすことができ、コスト減にも資する。
【図面の簡単な説明】
【００１８】
【図１】本発明の貝表面清浄機の実施形態の一例を示す正面図。
【図２】図１に示す貝表面清浄機を示す平面図。
【図３】図１に示す貝表面清浄機を示す左側面図。
【図４】図１に示す貝表面清浄機を示す断面図。
【図５】（ａ）は、図１に示す貝表面清浄機の貝移動通路の様子を示す平面図。（ｂ）は、（ａ）に示す貝移動通路と回転軸との関係を示す説明正面図。
【図６】図１に示す貝表面清浄機に用いる爪取付盤の正面図。
【図７】図１に示す貝表面清浄機に用いる他の爪取付盤の正面図。
【図８】（ａ）は図１に示す貝表面清浄機に用いるスペーサの斜視図。（ｂ）は（ａ）に示すスペーサの使用の様子を示す説明斜視図。（ｃ）は（ａ）に示すスペーサの使用の様子を示す説明正面図。
【図９】（ａ）は貝表面清浄機の実施形態の他の例を示す側面説明図。（ｂ）は（ａ）に示す貝表面洗浄機の平面説明図。
【図１０】従来の貝表面清浄機の掃除具の様子を示す斜視図。
【発明を実施するための形態】
【００１９】
（実施形態１）
本発明の貝表面清浄機の実施形態を図面を参照して説明する。この実施形態の貝表面清浄機は、図１に示すように、四角い枠形の架台１のコーナーに支持脚２を四本備え、該架台１に貝移動通路３を備え、貝移動通路３の上部に貝移送体４を備え、貝移動通路３の左右両側に掃除具５ａ、５ｂを備えてなる。
【００２０】
前記貝移動通路３は、図５（ａ）に示すように多数本の棒材７を左列と右列に向かい合わせて互い違いに並べ、しかも、棒材７の上端から下端に向けて内側に傾斜させて側面形状をＶ字状にし、左列と右列の夫々の棒材７は上端部を架台１に溶接とか他の手段で固定し、下端同士は互いに接触しないように隙間をあけて交差させて底面７７を形成し、その底面の上を貝が脱落することなく移動できるようにすると共に、貝表面から掻き落とされたゴミがその隙間から落下して貝移動通路３内に溜まらないようにしてある。また、左列と右列の夫々の棒材７を間隔をあけて配置して、隣接する棒材７の間の空間を開口部８としてある。棒材７同士の間隔による開口部８は前記掃除具５の爪９の幅よりも広くして、爪９がその開口部８から貝移動通路３内に突出できるようにしてある。左列と右列の棒材７の上端は離れたまま（開口したまま）にして、貝移動通路３を上面開口にしてある。図２に示すように貝移動通路３の入口５０側の上方開口部６には貝を投入するためのホッパー５５が備えられている。ホッパー５５は上方広がりであり、下方が細くなって、投入された貝を貝移動通路３内に案内できるようにしてある。
【００２１】
前記貝移送体４は図１〜図４に示すようにベルトコンベア１１の外周面に押板１０を間隔をあけて取付けたものであり、押板１０の先端部が貝移動通路３の上方開口部６（図５参照）から貝移動通路３内に入り込むようにしてあり、ベルトコンベア１１を図２のモータ２３により図１の矢印方向（貝移動通路３の入口５０側から出口６０側）に回転させると、押板１０も回転して貝移動通路３内の貝を貝移動通路３の出口６０側に送り出すようしてある。この場合、貝は回転しながら貝移動通路３内を移送される。前記押板１０には例えば硬質製のゴム板や樹脂板等が適し、その形状は貝移動通路３のＶ字形状に合わせて先端部の幅を細くしてある。押板１０は図１に示すようにベルトコンベア１１に対して先端が後方に傾斜するように取付けてある。
【００２２】
前記掃除具５ａ、５ｂは図１、図３及び図４に示すように、一本の回転軸１２に多数の爪取付盤１３が間隔をあけて取付けられている。図６に示す爪取付盤１３はゴム、樹脂等の弾性を有する素材により円盤状に成形され、その中心に中心孔１４が開口され、外周寄りの箇所に開口部１５を一定間隔で開口して、開口部１５の間の連結部１６に弾性を付与し、連結部１６の外側の外輪部１７の外周面にＬ字状の金属製の爪９を取付けてある。
【００２３】
図７に示す爪取付盤１３はゴム、樹脂等の弾性を有する素材により円盤状の中心部３２から外側に多数枚の羽根３３が放射状に突設され、中心部３２の中心に中心孔３１が開口され、夫々の羽根３３の先端寄りに金属製の爪９が取り付けられている。図６の場合も図７の場合も爪９の取付けにはボルトとナットを使用したり、接着剤を使用したりすることが出来る。
【００２４】
爪取付盤１３を回転軸１２に取り付ける場合、図８のスペーサ１８を使用して一定間隔で多数枚並べてある。スペーサ１８は図８（ａ）に示すように回転軸１２を挿通させるパイプ１９とそれよりも径の大きな円盤２０とが硬質樹脂で一体に成型されている。このスペーサ１８は図８（ｂ）のように、爪取付盤１３の中心孔１４（３１）にパイプ１９を差込み、中心孔１４（３１）から突出したパイプ１９の先端部を隣の円盤の中心穴に差し込んで２枚のスペーサ１８同士を連結すると共に爪取付盤１３を２枚のスペーサ１８の円盤２０間に挟み、この繰り返しにより必要枚数の爪取付盤１３を同軸に連結し、連結されたスペーサ１８のパイプ１９に回転軸１２を挿通し、図８（ｃ）に示すように、中心孔１４の内径の一部を矩形に切り欠いたキー溝４５と、回転軸１２の外周の一部を矩形に切り欠いたキー溝４６とを組みあわせて作った長方形のキー孔４７に、該キー孔４７に適合した長方形の断面形状の長棒体からなるスピル４８を挿通し、スペーサ１８と回転軸１２とを互いに固定する。また、両端のスペーサ１８の外側をボルトとナットで挟んで締め付けて、スペーサ１８及び爪取付盤１３を回転軸１２に固定し、更に、両端のスペーサ１８同士を固定具で固定して、回転軸１２の長手方向についてもスペーサ１８及び爪取付盤１３を回転軸１２に固定してある。
【００２５】
掃除具５ａ、５ｂは貝移動通路３の左右両外側に配置されて、夫々の掃除具５ａ、５ｂの爪の先端部が貝移動通路３の開口部８から貝移動通路３内に突出するようにしてある。また、２本の掃除具５ａ、５ｂのうち１本は図４に示すように貝移動通路３の入口５０側から出口６０側に向けて下り傾斜に配置され、他の1本は図４に示すように貝移動通路３の入口５０側から出口６０側に向けて上り傾斜に配置されている。本実施形態では、２本の掃除具５ａ、５ｂ間の間隔は、入口５０側も出口６０側も等間隔としてある。このように、２本の掃除具５ａ、５ｂを傾斜させて配置することにより、一方の掃除具は入口５０側で貝の上部に、出口６０側で貝の下部に接触して貝表面全般の付着物を掻き落とすことができる。他方の掃除具は入口５０側で貝の下部に、出口６０側で貝の上部に接触して貝表面全般の付着物を掻き落とすことができる。更に、２本の掃除具５ａ、５ｂを逆向きに傾斜させて配置することにより、貝の右側と左側とで、掃除具が貝の異なる部分に接触するので、貝の挟着力が増し、貝を安定した状態にして清浄することができる。
【００２６】
図３に示すように、前記掃除具５ａ、５ｂの回転軸１２の端部にはスプロケット２１が取付けられており、両スプロケット２１と伝達スプロケット２５とガイドスプロケット２７とに伝達チェーン２２が掛けられ、モータ２３のスプロケット２４と伝達スプロケット２５とに駆動チェーン２６が掛けられて、モータ２３が回転すると駆動チェーン２６を介して伝達スプロケット２５が回転し、その回転に伴って伝達チェーン２２が回転し、その回転により回転軸１２の両スプロケット２１が回転して回転軸１２が回転するようにしてある。図３の場合、両スプロケット２１が両回転軸１２を同方向（共に下向き方向）に回転させるようにしてある。共に下向き方向に回転させることにより、貝移動通路３内の貝に引き下げ方向（貝移動通路３の底方向）の力が働き、貝が貝移動通路３内で安定し、付着物が掻き落とされ易くなる。また、前記スプロケット２１、伝達スプロケット２５、ガイドスプロケット２７は、夫々プーリーに置き換えて、また伝達チェーン２２及び駆動チェーン２６は、夫々ベルトに置き換えて両回転軸１２を回転させることも可能である。
【００２７】
（使用例）
本実施形態の貝殻表面清浄機を使用するには、以下のようにする。
１．図２のモータ２３を回転させて貝移送体４のベルトコンベア１１を回転させ、図２のモータ２８を回転させて掃除具５ａ、５ｂの回転軸１２を回転させる。
２．貝移動通路３の入口５０側のホッパー５５に帆立貝などの貝Ｓを手作業で投入する。
３．ホッパー５５内の貝Ｓは回転する貝移送体４の押板１０に引かれて貝移動通路３内に落下する。
４．貝移動通路３内の縦向きの貝Ｓは貝移送体４の押板１０により押されて回転しながら、貝移動通路３の入口５０側から出口６０側に移動される。
５．貝移動通路３内の縦向きの貝Ｓが移動する間に、貝移動通路３の左右両外側の掃除具５ａ、５ｂの爪９が貝移動通路３の開口部８から貝移動通路３内に突出して、貝表面の付着物が掻き落とされる。この場合、一方の掃除具５ｂの回転軸１２が入口側から出口側に下り傾斜に、他方の掃除具５ａの回転軸が入口側から出口側に上り傾斜になっているため、掃除具５ａ、５ｂの爪９が貝表面の下から上まで接触し、更に、貝Ｓが回転しながら移動されるため、掃除具５ａ、５ｂの爪９が貝表面全般に接触し、貝表面全般が掃除される。
５．貝移動通路３内で付着物が掻き落とされた貝Ｓは押板１０により押されて貝移動通路３内の出口６０から排出され、出口６０の下方に配置してある容器内に落下し、回収される。
６．前記１〜５の作業により、ホッパー５５に投入される貝Ｓが次から次へと清浄される。
【００２８】
（実施形態２）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂの回転軸１２を逆向きに傾斜させてあるが、本実施形態においては２本の掃除具の回転軸は同じ向きに傾斜させる点が異なる。また、本実施形態では、２本の掃除具５ａ、５ｂ間の間隔は、入口５０側も出口６０側も等間隔としてある。このように２本の掃除具の回転軸を同じ向きに傾斜させて備えた場合であっても貝表面を上部から下部まで清浄することができる。
【００２９】
（実施形態３）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂの回転軸１２を逆向きに傾斜させてあるが、本実施形態においては２本の掃除具の回転軸は傾斜させないで水平にして備える点が異なる。また、本実施形態では、２本の掃除具５ａ、５ｂ間の間隔は、入口５０側も出口６０側も等間隔としてある。このように２本の掃除具の回転軸を傾斜させないで水平にして備えた場合であっても貝表面を上部から下部まで清浄することができる。
【００３０】
（実施形態４）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、２本の掃除具５ａ、５ｂは、回転軸１２が逆向きに傾斜され、且つ２本の掃除具間の間隔は、入口側を広く、出口側を狭くして配置されることとなる。入口側付近の掃除具同士の間隔が広い部分では貝に付着した大きなごみ等の汚れを重点的に除去し、出口側付近の掃除具同士の間隔が狭い部分では貝表面の汚れを重点的に除去することができる。
【００３１】
（実施形態５）
本発明の貝表面清浄機の実施形態の他の例について説明する。本発明の貝表面清浄機についても、その基本的な構成態様は前記実施形態２の貝表面清浄機と共通するが、２本の掃除具の回転軸において実施形態２とは異なる。前記実施形態２では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、本実施形態においては２本の掃除具の回転軸は同じ向きに傾斜され、且つ２本の掃除具間の間隔は、入口側を広く、出口側を狭くして配置されることとなる。
【００３２】
（実施形態６）
本発明の貝表面清浄機の実施形態の他の例について説明する。本発明の貝表面清浄機についても、その基本的な構成態様は前記実施形態３の貝表面清浄機と共通するが、２本の掃除具の回転軸において実施形態３とは異なる。前記実施形態３では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、本実施形態においては２本の掃除具の回転軸は傾斜させないで水平にして備えられ、且つ２本の掃除具間の間隔は、入口側を広く、出口側を狭くして配置されることとなる。
【００３３】
（実施形態７）
本発明の貝表面清浄機の実施形態の他の例について説明する。本発明の貝表面清浄機は、その基本的な構成態様は前記実施形態１〜６の貝表面清浄機と共通するが、本実施形態においても２本の掃除具の回転軸において前記各実施形態とは異なる。前記各実施形態では、２本の掃除具５ａ、５ｂの端部にはスプロケット２１が取り付けられ、伝達チェーン２２を用いて両回転軸１２を同方向に回転させるようにしたり、スプロケットをプーリーに置き換え、チェーンをベルトに置き換えて両回転軸１２を回転させたりしていたが、回転軸の回転力の伝達方法はスプロケット及びチェーンや、プーリー及びベルトには限られるものではない。本実施形態においては、図９（ａ）（ｂ）に示すように、両回転軸１２の端部の間隔や高さの差に合わせたねじ歯車や傘型歯車等のギア４０及び４１を組み合わせて、一方の回転軸１２の回転力を直接他方の回転軸１２に伝達できるようにしてある。その場合、図３に示すモータ２３を、回転軸１２の、ギア４０及び４１側と反対側の端部側に設置して、両回転軸１２を回転させるようにして、図３中の、ガイドスプロケット２７や伝達チェーン２２を省くことができる。また、２本の掃除具間の間隔を、入口側を広く、出口側を狭くすることもギアを変えることによって行うことができる。また、図９（ａ）（ｂ）に示すギアの他にも、タイヤチューブを二本組み合わせて用いることも可能である。また、タイヤチューブとホイールの組み合わせを用いることも可能である。その他にも、球型のギアを用いたり、一方の回転軸の回転力を直接他方の回転軸に伝達することが可能であれば任意の方法を用いることができる。
【００３４】
（他の実施形態）
前記各実施形態では移送体用のモータ２８と掃除具用のモータ２３とを別にしてあるが、可能であれば一つのモータを両用に共用することもできる。爪取付盤の形状も図７、図８とは別の形状とすることもできる。回転軸へ取り付けた爪取付盤をスペーサがなくとも貝移動通路の開口部の間隔と同一間隔に保持することが出来れば、スペーサは必ずしも必要ではない。
【符号の説明】
【００３５】
１  架台
２  支持脚
３  貝移動通路
４  貝移送体
５ａ  掃除具
５ｂ  掃除具
７  棒材
８  開口部
９  爪
１０  押板
１１  ベルトコンベア
１２  回転軸
１３  爪取付盤
【図１】
2010099087.tif 000003
【図２】
2010099087.tif 000004
【図３】
2010099087.tif 000005
【図４】
2010099087.tif 000006
【図５】
2010099087.tif 000007
【図６】
2010099087.tif 000008
【図７】
2010099087.tif 000009
【図８】
2010099087.tif 000010
【図９】
2010099087.tif 000011
【図１０】
2010099087.tif 000012
【手続補正書】
【提出日】平成22年2月16日(2010.2.16)
【手続補正１】
【補正対象書類名】明細書
【補正対象項目名】全文
【補正方法】変更
【補正の内容】
【発明の詳細な説明】
【技術分野】
【０００１】
本発明は帆立貝等の貝類の殻表面に付着している付着物を除去する貝表面清浄機に関するものである。
【背景技術】
【０００２】
従来、帆立貝等の貝類の殻の表面に付着している付着物を清浄する貝表面清浄機としては、特許文献１に示すように、側面Ｖ字状の貝移動通路内の貝を、回転移送体により移送し、移送中に、掃除具の爪を貝表面に接触させて、爪で貝表面に付着している付着物を掻き落すようにしたものがある。前記貝移動通路は棒材を間隔をあけて左右２列に配置し、左右列の棒材を配列方向に互い違いにずらして形成されており、各列の棒材間を開口部としてある。前記貝移送体は貝移動通路の上方に配置した回転ベルトに爪を取付けてあり、爪が貝移動通路の上方開口部から貝移動通路内に突出し、その回転により貝移動通路内の貝を回転させながら移動させるようにしてある。前記掃除具は、図１０に示すように、回転帯Ｃに爪Ｆが取り付けられており、その爪Ｆが前記開口部から貝移動通路の内側に突出して、貝表面の付着物を掻き落すようにしてある。
【先行技術文献】
【特許文献】
【０００３】
【特許文献１】実公昭５２−４３６７６号公報。
【発明の概要】
【発明が解決しようとする課題】
【０００４】
従来の貝表面清浄機には次のような課題があった。
（１）図１０に示す無端ベルトＥに爪Ｆを取付けた掃除具Ａでは、爪Ｆが帆立貝の貝殻の形状、即ち、中央部が外側に膨らみ、外周部が薄くなっている形状に追随しきれず、貝殻の全般を万遍無く清浄する（付着物を掻き落とす）ことは困難であり、付着物が残ることが多々あった。
（２）回転軸が貝移動通路の入口側から出口側まで水平であるため、開口部からＶ字状貝移動通路に突出する爪の位置（高さ）がどの開口部においても同じであるため、貝表面への爪の接触位置が常に一定であり、貝表面の同じ箇所しか清浄されず、貝表面の全体を清浄することが困難であった。
（３）無端ベルトＥは切れ易く、無端ベルトＥが切れると交換に手間を要し、作業性に難点があった。
（４）従来の貝表面清浄機は、図１０に示すように、掃除具Ａ一つにつき軸Ｂが二本必要であって、更に回転帯Ｃ一列につき、二つのプーリーＤが必要であり、各プーリーＤにベルトＥを掛けて爪Ｆを備える必要がある。前記のような回転帯Ｃが、掃除具Ａ一つにつき複数列備えられている。従来の貝表面清浄機には掃除具Ａが左右で２本備えられるため、軸Ｂは４本必要であり、例えば掃除具Ａの回転帯Ｃが１０列である場合には、プーリーＤは左右で４０個、ベルトＥは左右で２０本必要となるため、部品が大量に必要であり、また、貝表面清浄機全体も重くなる。また、前記のような多くの部品の内１つでも故障した場合には部品の交換が必要であり、部品の交換の手間がかかる上に、その間貝表面清浄機を停止させなければならず、作業効率が悪い。また、交換用部品も多くなるため、コスト高となる。
【課題を解決するための手段】
【０００５】
本発明の目的は、爪が貝表面全般に万遍なく接触して、貝表面全般を清浄できる貝表面清浄機を提供するところにある。
【０００６】
本件出願の貝表面清浄機は、上方開口で下方細りである側面略Ｖ字状の貝移動通路の側面に貝の移動方向に間隔をあけて開口部が形成され、貝移動通路の上部に貝移動通路内に突出するように設けられた貝移送体の回転により貝移動通路内の貝を貝移動通路の入口側から出口側に移送し、その移送中に、貝移動通路の外側方に設けられた汚れ除去具が貝移動通路の開口部から貝移動通路内に突出して回転して貝の表面の汚れを除去する貝表面清浄機において、前記貝移動通路の底は貝が投入される入口側から貝が送り出される出口側まで水平又は略水平であり、前記汚れ除去具は、貝移動通路の両外側に貝移動通路に沿って配置された２本の回転軸と、この回転軸に間隔をあけて取り付けられた多数の爪取付盤を備え、前記爪取付盤は盤本体の外周面又は放射状の羽根に爪が取り付けられ、その爪の先端側が盤本体の外側に突設され、前記汚れ除去具は爪取付盤の爪が前記貝移動通路の開口部から貝移動通路内に突出して配置され、前記２本の回転軸は、前記貝移動通路内を移送中の貝表面への前記爪の接触位置が、貝の移送に伴って貝表面の下部から上部に又は上部から下部に自動的に変化して貝表面の汚れが掻き落とされて除去されるように、貝移動通路の前記入口側から出口側に向けて上り傾斜又は下り傾斜の同傾斜に配置されたものである。
【０００７】
【０００８】
【０００９】
本件出願の第２の貝表面清浄機は、前記貝表面清浄機において、貝移動通路の両外側に配置された２本の回転軸間の間隔が、貝移動通路の入口側を広く、出口側を狭くして配置されて、貝移動通路内を移送される貝表面に接触するようにしたものである。
【００１０】
本件出願の第３の貝表面清浄機は、前記貝表面清浄機において、爪取付盤の盤本体が弾性のあるものとしてある。
【００１１】
本件出願の第４の貝表面清浄機は、貝移動通路の両外側に配置された２本の回転軸が、一方の回転軸の回転力を機械的手段により他方の回転軸に伝達することによって、双方の回転軸を一つの駆動体によって回転させるものである。
【発明の効果】
【００１２】
本件出願の貝表面清浄機には次のような効果がある。
（１）汚れ除去具は貝移動通路の両外側に貝移動通路に沿って配置された回転軸に爪取付盤が間隔をあけて取り付けられ、爪取付盤は円盤状の本体の外周面又は放射状の羽根の外側に爪が取付けられて、回転軸の回転により爪取付盤が回転して爪により貝表面の汚れを掻き落として除去するものであるので、部品が少なく組み立てるのが容易で便利である。また、強度が強いため切れることがなく、部品の取り替え等の労力及び費用を減らすことができる。
【００１３】
本件出願の第１の貝表面清浄機には、上記効果の他、次のような効果がある。
（１）貝移動通路の両外側に貝移動通路に沿って配置された回転軸が、貝移動通路の入口側から出口側に向けて上り傾斜又は下り傾斜に配置され、その回転軸に取り付けられた爪取付盤の爪が、貝移動通路内を移送される貝表面の下部から上部まで接触するようにしたので、貝の表面に、上から下へ、又は下から上へと万遍無く爪を当てることができ、より確実に貝表面を清浄化出来る。
【００１４】
本件出願の貝表面清浄機には、上記効果の他、次のような効果がある。
（１）貝移動通路の両外側に貝移動通路に沿って配置された回転軸のうち、一方の回転軸は貝移動通路の入口側から出口側に向けて下り傾斜に配置されて、その回転軸に取り付けられた爪取付盤の爪が、貝移動通路内を移送される貝表面の上部から下部へ接触し、他方の回転軸は入口側から出口側に向けて上り傾斜に配置されて、その回転軸に取り付けられた爪取付盤の爪が、貝移動通路内を移送される貝表面の下部から上部へ接触するようにしたので、貝の表面に、上から下へ、又は下から上へと万遍無く爪を当てることができ、また、貝の右側と左側とで、掃除具が貝の異なる部分に接触するので、貝の挟着力が増し、貝を安定した状態にして貝表面をバランスよくより確実に清浄することができる。
【００１５】
本件出願の第２の貝表面清浄機には、上記効果の他、次のような効果がある。
（１）貝移動通路の両外側に配置された回転軸間の間隔が、貝移動通路の入口側を広く、出口側を狭くして配置されて、貝移動通路内を移送される貝表面に接触するようにしたので、入口側付近の掃除具同士の間隔が広い部分では貝に付着した大きなごみ等の汚れを重点的に除去し、出口側付近の掃除具同士の間隔が狭い部分では貝表面の汚れを重点的に除去することができる。
【００１６】
本件出願の第３の貝表面清浄機には、上記効果の他、次のような効果がある。
（１）爪取付盤の盤本体が弾性を有するので、貝の表面の形状に追随して貝殻表面の付着物を掻き落とすことができ、貝の表面を清浄化できる。
【００１７】
本件出願の第４の貝表面清浄機には、上記効果の他、次のような効果がある。
（１）貝移動通路の両外側に配置された回転軸が、一方の回転軸の回転力を、機械的手段を用いて他方の回転軸に伝達することによって、両回転軸とも一つの駆動体によって回転するものであるので、駆動体が一つでよく、装置全体の軽量化を実現できる。
（２）ギア等を用いた場合には、ベルト等のように切れるおそれがなく、部品交換の手間を減らすことができ、コスト減にも資する。
【図面の簡単な説明】
【００１８】
【図１】本発明の貝表面清浄機の実施形態の一例を示す正面図。
【図２】図１に示す貝表面清浄機を示す平面図。
【図３】図１に示す貝表面清浄機を示す左側面図。
【図４】図１に示す貝表面清浄機を示す断面図。
【図５】（ａ）は、図１に示す貝表面清浄機の貝移動通路の様子を示す平面図。（ｂ）は、（ａ）に示す貝移動通路と回転軸との関係を示す説明正面図。
【図６】図１に示す貝表面清浄機に用いる爪取付盤の正面図。
【図７】図１に示す貝表面清浄機に用いる他の爪取付盤の正面図。
【図８】（ａ）は図１に示す貝表面清浄機に用いるスペーサの斜視図。（ｂ）は（ａ）に示すスペーサの使用の様子を示す説明斜視図。（ｃ）は（ａ）に示すスペーサの使用の様子を示す説明正面図。
【図９】（ａ）は貝表面清浄機の実施形態の他の例を示す側面説明図。（ｂ）は（ａ）に示す貝表面洗浄機の平面説明図。
【図１０】従来の貝表面清浄機の掃除具の様子を示す斜視図。
【発明を実施するための形態】
【００１９】
（実施形態１）
本発明の貝表面清浄機の実施形態を図面を参照して説明する。この実施形態の貝表面清浄機は、図１に示すように、四角い枠形の架台１のコーナーに支持脚２を四本備え、該架台１に貝移動通路３を備え、貝移動通路３の上部に貝移送体４を備え、貝移動通路３の左右両側に掃除具５ａ、５ｂを備えてなる。
【００２０】
前記貝移動通路３は、図５（ａ）に示すように多数本の棒材７を左列と右列に向かい合わせて互い違いに並べ、しかも、棒材７の上端から下端に向けて内側に傾斜させて側面形状をＶ字状にし、左列と右列の夫々の棒材７は上端部を架台１に溶接とか他の手段で固定し、下端同士は互いに接触しないように隙間をあけて交差させて底面７７を形成し、その底面の上を貝が脱落することなく移動できるようにすると共に、貝表面から掻き落とされたゴミがその隙間から落下して貝移動通路３内に溜まらないようにしてある。また、左列と右列の夫々の棒材７を間隔をあけて配置して、隣接する棒材７の間の空間を開口部８としてある。棒材７同士の間隔による開口部８は前記掃除具５の爪９の幅よりも広くして、爪９がその開口部８から貝移動通路３内に突出できるようにしてある。左列と右列の棒材７の上端は離れたまま（開口したまま）にして、貝移動通路３を上面開口にしてある。図２に示すように貝移動通路３の入口５０側の上方開口部６には貝を投入するためのホッパー５５が備えられている。ホッパー５５は上方広がりであり、下方が細くなって、投入された貝を貝移動通路３内に案内できるようにしてある。
【００２１】
前記貝移送体４は図１〜図４に示すようにベルトコンベア１１の外周面に押板１０を、間隔をあけて取付けたものであり、押板１０の先端部が貝移動通路３の上方開口部６（図５参照）から貝移動通路３内に入り込むようにしてあり、ベルトコンベア１１を図２のモータ２３により図１の矢印方向（貝移動通路３の入口５０側から出口６０側）に回転させると、押板１０も回転して貝移動通路３内の貝を貝移動通路３の出口６０側に送り出すようしてある。この場合、貝は回転しながら貝移動通路３内を移送される。前記押板１０には例えば硬質製のゴム板や樹脂板等が適し、その形状は貝移動通路３のＶ字形状に合わせて先端部の幅を細くしてある。押板１０は図１に示すようにベルトコンベア１１に対して先端が後方に傾斜するように取付けてある。
【００２２】
前記掃除具５ａ、５ｂは図１、図３及び図４に示すように、一本の回転軸１２に多数の爪取付盤１３が間隔をあけて取付けられている。図６に示す爪取付盤１３はゴム、樹脂等の弾性を有する素材により円盤状に成形され、その中心に中心孔１４が開口され、外周寄りの箇所に開口部１５を一定間隔で開口して、開口部１５の間の連結部１６に弾性を付与し、連結部１６の外側の外輪部１７の外周面にＬ字状の金属製の爪９を取付けてある。
【００２３】
図７に示す爪取付盤１３はゴム、樹脂等の弾性を有する素材により円盤状の中心部３２から外側に多数枚の羽根３３が放射状に突設され、中心部３２の中心に中心孔３１が開口され、夫々の羽根３３の先端寄りに金属製の爪９が取り付けられている。図６の場合も図７の場合も爪９の取付けにはボルトとナットを使用したり、接着剤を使用したりすることが出来る。
【００２４】
爪取付盤１３を回転軸１２に取り付ける場合、図８のスペーサ１８を使用して一定間隔で多数枚並べてある。スペーサ１８は図８（ａ）に示すように回転軸１２を挿通させるパイプ１９とそれよりも径の大きな円盤２０とが硬質樹脂で一体に成型されている。このスペーサ１８は図８（ｂ）のように、爪取付盤１３の中心孔１４（３１）にパイプ１９を差込み、中心孔１４（３１）から突出したパイプ１９の先端部を隣の円盤の中心穴に差し込んで２枚のスペーサ１８同士を連結すると共に爪取付盤１３を２枚のスペーサ１８の円盤２０間に挟み、この繰り返しにより必要枚数の爪取付盤１３を同軸に連結し、連結されたスペーサ１８のパイプ１９に回転軸１２を挿通し、図８（ｃ）に示すように、中心孔１４の内径の一部を矩形に切り欠いたキー溝４５と、回転軸１２の外周の一部を矩形に切り欠いたキー溝４６とを組みあわせて作った長方形のキー孔４７に、該キー孔４７に適合した長方形の断面形状の長棒体からなるスピル４８を挿通し、スペーサ１８と回転軸１２とを互いに固定する。また、両端のスペーサ１８の外側をボルトとナットで挟んで締め付けて、スペーサ１８及び爪取付盤１３を回転軸１２に固定し、更に、両端のスペーサ１８同士を固定具で固定して、回転軸１２の長手方向についてもスペーサ１８及び爪取付盤１３を回転軸１２に固定してある。
【００２５】
掃除具５ａ、５ｂは貝移動通路３の左右両外側に配置されて、夫々の掃除具５ａ、５ｂの爪の先端部が貝移動通路３の開口部８から貝移動通路３内に突出するようにしてある。また、２本の掃除具５ａ、５ｂのうち１本は図４に示すように貝移動通路３の入口５０側から出口６０側に向けて下り傾斜に配置され、他の1本は図４に示すように貝移動通路３の入口５０側から出口６０側に向けて上り傾斜に配置されている。本実施形態では、２本の掃除具５ａ、５ｂ間の間隔は、入口５０側も出口６０側も等間隔としてある。このように、２本の掃除具５ａ、５ｂを傾斜させて配置することにより、一方の掃除具は入口５０側で貝の上部に、出口６０側で貝の下部に接触して貝表面全般の付着物を掻き落とすことができる。他方の掃除具は入口５０側で貝の下部に、出口６０側で貝の上部に接触して貝表面全般の付着物を掻き落とすことができる。更に、２本の掃除具５ａ、５ｂを逆向きに傾斜させて配置することにより、貝の右側と左側とで、掃除具が貝の異なる部分に接触するので、貝の挟着力が増し、貝を安定した状態にして清浄することができる。
【００２６】
図３に示すように、前記掃除具５ａ、５ｂの回転軸１２の端部にはスプロケット２１が取付けられており、両スプロケット２１と伝達スプロケット２５とガイドスプロケット２７とに伝達チェーン２２が掛けられ、モータ２３のスプロケット２４と伝達スプロケット２５とに駆動チェーン２６が掛けられて、モータ２３が回転すると駆動チェーン２６を介して伝達スプロケット２５が回転し、その回転に伴って伝達チェーン２２が回転し、その回転により回転軸１２の両スプロケット２１が回転して回転軸１２が回転するようにしてある。図３の場合、両スプロケット２１が両回転軸１２を同方向（共に下向き方向）に回転させるようにしてある。共に下向き方向に回転させることにより、貝移動通路３内の貝に引き下げ方向（貝移動通路３の底方向）の力が働き、貝が貝移動通路３内で安定し、付着物が掻き落とされ易くなる。また、前記スプロケット２１、伝達スプロケット２５、ガイドスプロケット２７は、夫々プーリーに置き換えて、また伝達チェーン２２及び駆動チェーン２６は、夫々ベルトに置き換えて両回転軸１２を回転させることも可能である。
【００２７】
（使用例）
本実施形態の貝殻表面清浄機を使用するには、以下のようにする。
１．図２のモータ２３を回転させて貝移送体４のベルトコンベア１１を回転させ、図２のモータ２８を回転させて掃除具５ａ、５ｂの回転軸１２を回転させる。
２．貝移動通路３の入口５０側のホッパー５５に帆立貝などの貝Ｓを手作業で投入する。
３．ホッパー５５内の貝Ｓは回転する貝移送体４の押板１０に引かれて貝移動通路３内に落下する。
４．貝移動通路３内の縦向きの貝Ｓは貝移送体４の押板１０により押されて回転しながら、貝移動通路３の入口５０側から出口６０側に移動される。
５．貝移動通路３内の縦向きの貝Ｓが移動する間に、貝移動通路３の左右両外側の掃除具５ａ、５ｂの爪９が貝移動通路３の開口部８から貝移動通路３内に突出して、貝表面の付着物が掻き落とされる。この場合、一方の掃除具５ｂの回転軸１２が入口側から出口側に下り傾斜に、他方の掃除具５ａの回転軸が入口側から出口側に上り傾斜になっているため、掃除具５ａ、５ｂの爪９が貝表面の下から上まで接触し、更に、貝Ｓが回転しながら移動されるため、掃除具５ａ、５ｂの爪９が貝表面全般に接触し、貝表面全般が掃除される。
５．貝移動通路３内で付着物が掻き落とされた貝Ｓは押板１０により押されて貝移動通路３内の出口６０から排出され、出口６０の下方に配置してある容器内に落下し、回収される。
６．前記１〜５の作業により、ホッパー５５に投入される貝Ｓが次から次へと清浄される。
【００２８】
（実施形態２）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂの回転軸１２を逆向きに傾斜させてあるが、本実施形態においては２本の掃除具の回転軸は同じ向きに傾斜させる点が異なる。また、本実施形態では、２本の掃除具５ａ、５ｂ間の間隔は、入口５０側も出口６０側も等間隔としてある。このように２本の掃除具の回転軸を同じ向きに傾斜させて備えた場合であっても貝表面を上部から下部まで清浄することができる。
【００２９】
（実施形態３）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂの回転軸１２を逆向きに傾斜させてあるが、本実施形態においては２本の掃除具の回転軸は傾斜させないで水平にして備える点が異なる。また、本実施形態では、２本の掃除具５ａ、５ｂ間の間隔は、入口５０側も出口６０側も等間隔としてある。このように２本の掃除具の回転軸を傾斜させないで水平にして備えた場合であっても貝表面を上部から下部まで清浄することができる。
【００３０】
（実施形態４）
本発明の貝表面清浄機の実施形態の他の例について説明する。本発明の貝表面清浄機についても、その基本的な構成態様は前記実施形態１の貝表面清浄機と共通するが、２本の掃除具の回転軸において実施形態１とは異なる。前記実施形態１では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、２本の掃除具５ａ、５ｂは、回転軸１２が逆向きに傾斜され、且つ２本の掃除具間の間隔は、入口側を広く、出口側を狭くして配置されることとなる。入口側付近の掃除具同士の間隔が広い部分では貝に付着した大きなごみ等の汚れを重点的に除去し、出口側付近の掃除具同士の間隔が狭い部分では貝表面の汚れを重点的に除去することができる。
【００３１】
（実施形態５）
本発明の貝表面清浄機の実施形態の他の例について説明する。本発明の貝表面清浄機についても、その基本的な構成態様は前記実施形態２の貝表面清浄機と共通するが、２本の掃除具の回転軸において実施形態２とは異なる。前記実施形態２では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、本実施形態においては２本の掃除具の回転軸は同じ向きに傾斜され、且つ２本の掃除具間の間隔は、入口側を広く、出口側を狭くして配置されることとなる。
【００３２】
（実施形態６）
本発明の貝表面清浄機の実施形態の他の例について説明する。本発明の貝表面清浄機についても、その基本的な構成態様は前記実施形態３の貝表面清浄機と共通するが、２本の掃除具の回転軸において実施形態３とは異なる。前記実施形態３では、２本の掃除具５ａ、５ｂ間の間隔は、入口５０側も出口６０側も等間隔としてあるが、本実施形態においては２本の掃除具の回転軸間の間隔は、入口側を広く、出口側を狭くすることもできる。その場合は、本実施形態においては２本の掃除具の回転軸は傾斜させないで水平にして備えられ、且つ２本の掃除具間の間隔は、入口側を広く、出口側を狭くして配置されることとなる。
【００３３】
（実施形態７）
本発明の貝表面清浄機の実施形態の他の例について説明する。本発明の貝表面清浄機は、その基本的な構成態様は前記実施形態１〜６の貝表面清浄機と共通するが、本実施形態においても２本の掃除具の回転軸において前記各実施形態とは異なる。前記各実施形態では、２本の掃除具５ａ、５ｂの端部にはスプロケット２１が取り付けられ、伝達チェーン２２を用いて両回転軸１２を同方向に回転させるようにしたり、スプロケットをプーリーに置き換え、チェーンをベルトに置き換えて両回転軸１２を回転させたりしていたが、回転軸の回転力の伝達方法はスプロケット及びチェーンや、プーリー及びベルトには限られるものではない。本実施形態においては、図９（ａ）（ｂ）に示すように、両回転軸１２の端部の間隔や高さの差に合わせたねじ歯車や傘型歯車等のギア４０及び４１を組み合わせて、一方の回転軸１２の回転力を直接他方の回転軸１２に伝達できるようにしてある。その場合、図３に示すモータ２３を、回転軸１２の、ギア４０及び４１側と反対側の端部側に設置して、両回転軸１２を回転させるようにして、図３中の、ガイドスプロケット２７や伝達チェーン２２を省くことができる。また、２本の掃除具間の間隔を、入口側を広く、出口側を狭くすることもギアを変えることによって行うことができる。また、図９（ａ）（ｂ）に示すギアの他にも、タイヤチューブを二本組み合わせて用いることも可能である。また、タイヤチューブとホイールの組み合わせを用いることも可能である。その他にも、球型のギアを用いたり、一方の回転軸の回転力を直接他方の回転軸に伝達することが可能であれば任意の方法を用いることができる。
【００３４】
（他の実施形態）
前記各実施形態では移送体用のモータ２８と掃除具用のモータ２３とを別にしてあるが、可能であれば一つのモータを両用に共用することもできる。爪取付盤の形状も図７、図８とは別の形状とすることもできる。回転軸へ取り付けた爪取付盤をスペーサがなくとも貝移動通路の開口部の間隔と同一間隔に保持することが出来れば、スペーサは必ずしも必要ではない。
【符号の説明】
【００３５】
１  架台
２  支持脚
３  貝移動通路
４  貝移送体
５ａ  掃除具
５ｂ  掃除具
７  棒材
８  開口部
９  爪
１０  押板
１１  ベルトコンベア
１２  回転軸
１３  爪取付盤
【手続補正２】
【補正対象書類名】特許請求の範囲
【補正対象項目名】全文
【補正方法】変更
【補正の内容】
【特許請求の範囲】
【請求項１】
上方開口で下方細りである側面略Ｖ字状の貝移動通路の側面に貝の移動方向に間隔をあけて開口部が形成され、貝移動通路の上部に貝移動通路内に突出するように設けられた貝移送体の回転により貝移動通路内の貝を貝移動通路の入口側から出口側に移送し、その移送中に、貝移動通路の外側方に設けられた汚れ除去具が貝移動通路の開口部から貝移動通路内に突出して回転して貝の表面の汚れを除去する貝表面清浄機において、
前記貝移動通路の底は貝が投入される入口側から貝が送り出される出口側まで水平又は略水平であり、
前記汚れ除去具は、貝移動通路の両外側に貝移動通路に沿って配置された２本の回転軸と、この回転軸に間隔をあけて取り付けられた多数の爪取付盤を備え、
前記爪取付盤は盤本体の外周面又は放射状の羽根に爪が取り付けられ、その爪の先端側が盤本体の外側に突設され、
前記汚れ除去具は爪取付盤の爪が前記貝移動通路の開口部から貝移動通路内に突出して配置され、
前記２本の回転軸は、前記貝移動通路内を移送中の貝表面への前記爪の接触位置が、貝の移送に伴って貝表面の下部から上部に又は上部から下部に自動的に変化して貝表面の汚れが掻き落とされて除去されるように、貝移動通路の前記入口側から出口側に向けて上り傾斜又は下り傾斜の同傾斜に配置されたことを特徴とする貝表面清浄機。
【請求項２】
請求項１記載の貝表面清浄機において、貝移動通路の両外側に配置された２本の回転軸間の間隔が、貝移動通路の入口側を広く、出口側を狭くして配置されたことを特徴とする貝表面清浄機。
【請求項３】
請求項１又は請求項２記載の貝表面清浄機において、爪取付盤の盤本体が弾性を有するものであることを特徴とする貝表面清浄機。
【請求項４】
請求項１乃至請求項３のいずれかに記載の貝表面清浄機において、貝移動通路の両外側に配置された２本の回転軸は、一方の回転軸の回転力を機械的手段により他方の回転軸に伝達することによって、双方の回転軸を一つの駆動体によって回転させるものであることを特徴とする貝表面清浄機。